(57)【要約】【課題】任意の商用交流電源電圧を制御部に入力しても、一定の２次側出力電圧のＡＣ２３０Ｖを撮像部に供給する。【課題を解決するための手段】ＡＣ１００ＶまたはＡＣ１１７ＶまたはＡＣ２３０Ｖを入力する制御部と概制御部から２次側交流電圧の供給を受ける撮像部とを備える撮像装置において、商用交流変換電源トランスと１次側商用交流入力電圧検出部と１次側商用交流入力電圧切替部を有し、準備動作時に商用交流入力電圧検出部で入力した商用交流電源電圧の種類を検出し、商用交流電源電圧の種類に適した切替に１次側商用交流入力電圧切替部を設定し、商用交流変換電源トランスの１次側に入力した前記商用交流電源電圧を印加し、商用交流変換電源トランスの２次側に、一定の２次側交流電圧（ＡＣ２３０Ｖ）を出力し、前記撮像部に供給する。【選択図】図１
2011101494.tif 000002
【特許請求の範囲】
【請求項１】
複数種類の商用交流電源電圧を入力する制御部と概制御部から２次側交流電圧の供給を受ける撮像部とを備える撮像装置において、
商用交流変換電源トランスと概商用交流変換電源トランスの１次側商用交流入力電圧検出部と概商用交流変換電源トランスの１次側商用交流入力電圧切替部を有し、
準備動作時に前記商用交流入力電圧検出部で入力した前記商用交流電源電圧の種類を検出し、概検出結果の入力した商用交流電源電圧の種類に適した切替に前記商用交流変換電源トランスの１次側商用交流入力電圧切替部の切替を設定し、前記商用交流変換電源トランスの１次側に入力した前記商用交流電源電圧を印加し、前記商用交流変換電源トランスの２次側に、一定の２次側交流電圧（ＡＣ２３０Ｖ）を出力し、前記撮像部に供給することを特徴とする撮像装置の制御部。
【発明の詳細な説明】
【技術分野】
【０００１】
本発明は、撮像装置に用いる制御部における電源に関するものである。
【背景技術】
【０００２】
従来、テレビジョンカメラシステムでは撮像部（カメラヘッド）と接続された制御部（Camera Control Unit:CCU）との間で本線映像信号，送り返し映像信号，音声信号，コントロール用シリアルデータ信号，及び電源の送受信の時分割双方向伝送を３重同軸（トライアックス）ケーブル１本の伝送路で行う方法をデジタルトライアックスシステムと称する（特許文献１）。
【０００３】
有効走査線７２０本と有効走査線１０８０本のハイビジョンでは、本線映像信号，送り返し映像信号，音声信号，コントロール用シリアルデータ信号の送受信伝送と電源供給送を光ケーブルで用いる方が一般であるが、トライアックスケーブルを施設に敷設してある場合は、デジタルトライアックスシステムを用いる。
【０００４】
制御部に入力する商用交流入力電源電圧は一般にＡＣ１００ＶとＡＣ１１７ＶとＡＣ２３０Ｖであり、撮像部給送する電源電圧は一般にＡＣ２３０Ｖである。
【０００５】
図２は従来技術の制御部の電源の供給を示すブロック図である。従来は、制御部５の電源トランスの１次側にタップを設け、入力する商用交流入力電源電圧により、手動でタップの切換を行っていた。
【０００６】
図３は従来技術での各商用交流入力電源電圧時のタップ設定の模式図である。例えば、入力する商用交流入力電源電圧がＡＣ１１７Ｖの場合には、図３（ａ）に示すようにタップの設定を行い、ＡＣ１００Ｖでは図３（ｂ）、ＡＣ２３０Ｖでは図３（ｃ）にタップの設定を行っていた。
【先行技術文献】
【特許文献】
【０００７】
【特許文献１】特開平７−２０３３９９号公報
【発明の概要】
【発明が解決しようとする課題】
【０００８】
任意の商用交流電源電圧を制御部に入力しても、一定の２次側出力電圧のＡＣ２３０Ｖを撮像部に供給することが本発明の目的である。
【課題を解決するための手段】
【０００９】
本発明は、上記課題を解決するため、複数種類の商用交流電源電圧を入力する制御部と概制御部から２次側交流電圧の供給を受ける撮像部とを備える撮像装置において、商用交流変換電源トランスと概商用交流変換電源トランスの１次側商用交流入力電圧検出部と概商用交流変換電源トランスの１次側商用交流入力電圧切替部を有し、準備動作時に前記商用交流入力電圧検出部で入力した前記商用交流電源電圧の種類を検出し、概検出結果の入力した商用交流電源電圧の種類に適した切替に前記商用交流変換電源トランスの１次側商用交流入力電圧切替部の切替を設定し、前記商用交流変換電源トランスの１次側に入力した前記商用交流電源電圧を印加し、前記商用交流変換電源トランスの２次側に、一定の２次側交流電圧（ＡＣ２３０Ｖ）を出力し、前記撮像部に供給することを特徴とする撮像装置の制御部である。
【発明の効果】
【００１０】
本発明によれば、任意の商用交流電源電圧を制御部に入力しても、準備動作時に商用交流電源電圧の種類を検出し、１次側商用交流入力電圧切替部の切替を設定し、一定の２次側出力電圧のＡＣ２３０Ｖを撮像部に供給することができる。
【図面の簡単な説明】
【００１１】
【図１】本発明の一実施例の制御部と撮像部とを含む撮像装置の電源の供給を示すブロック図
【図２】従来技術の制御部の電源の供給を示すブロック図
【図３】従来技術での各商用交流入力電源電圧時のタップ設定の模式図（（ａ）ＡＣ１１７Ｖ、（ｂ）ＡＣ１００Ｖ、（ｃ）ＡＣ２３０Ｖ）
【発明を実施するための形態】
【実施例１】
【００１２】
本発明による撮像装置の一実施例の動作の概要を本発明の一実施例の制御部と撮像部とを含む撮像装置の電源の供給を示すブロック図の図１を用いて説明する。
【００１３】
本発明の一実施例の制御部と撮像部とを含む撮像装置の電源を示すブロック図の図１において、１は制御部、２と３は光ケーブルコネクタまたはトライアックスコネクタ、４は光ケーブルまたはトライアックスケーブル、５は撮像部である。１次側商用交流入力電圧切替部の例としてはＳＴＢＹ/ＭＡＩＮ切換部の１０５と１１２であり、商用交流入力電圧検出部の例としては入力電源検出回路の１０７である。
商用交流入力電源電圧は一般にＡＣ１００ＶとＡＣ１１７ＶとＡＣ２３０Ｖであり、本実施例では、２と３は光ケーブルコネクタで４は光ケーブルで商用交流入力電源電圧がＡＣ１１７Ｖの時について説明する。
【００１４】
撮像装置の例としての放送用テレビジョンカメラ装置では、準備（ＳＴＢＹ）動作と通常運用（ＭＡＩＮ）動作があり、ＳＴＢＹ動作ではテレビジョンカメラと制御部間の伝送のチェックを行い、伝送距離を設定する。
その後、ＭＡＩＮ状態に切換を行い、通常運用を開始する。
【００１５】
図１において、ＳＴＢＹ動作時に商用交流入力電源電圧ＡＣ１１７Ｖは、ＡＣインデッド１０１から制御部１内に入力され、電源スイッチ１０３を通り（スイッチはＯＮ状態）、ＡＣ/ＤＣコンバータ１０８に入力される。ＡＣ/ＤＣコンバータ１０８ではＡＣ１１７ＶからＤＣ＋１２Ｖへ変換を行う。ＤＣ/ＤＣコンバータ１１１では、ＤＣ＋１２ＶからＤＣ＋３６Ｖへ変換を行う。ＣＰＵ１１３からの制御により、ＳＴＢＹ/ＭＡＩＮ切換部１１２はＳＴＢＹ側に設定されており、光ケーブル４を通して、撮像部５へＤＣ３６Ｖが伝送される。
【００１６】
同時に商用交流入力電源電圧ＡＣ１１７Ｖは、入力電源検出回路１０７に入力され、この回路によりＡＣ１１７Ｖと検出される。この検出結果から、自動スイッチ設定部１０６はＡＣ１１７Ｖ時のスイッチ位置に設定を行う。この時、ＣＰＵ１１３からの制御でＳＴＢＹ/ＭＡＩＮ切換部１０５もＳＴＢＹ側に設定されており、ＡＣ１１７Ｖが自動スイッチ設定部１０６に入力される事はない。
前記ＤＣ＋３６Ｖが制御部からテレビジョンカメラに伝送され、機器間の伝送確認が完了すると、ＣＰＵ１１３の制御でＳＴＢＹ/ＭＡＩＮ切換部１０５，１１３はＭＡＩＮ側に切換り、テレビジョンカメラと制御部及伝送はＭＡＩＮ動作になる。
【００１７】
ＭＡＩＮ動作では、ＡＣ１１７ＶはＳＴＢＹ/ＭＡＩＮ切換部１０５及びＡＣ１１７Ｖに設定された自動スイッチ設定部１０６を通り、電源トランス１０９の１次側に入力される。電源トランス１０９で、交流変換を行い、ＡＣ２３０Ｖが２次側より出力される。ＳＴＢＹ/ＭＡＩＮ切換部１１２を通り、ＡＣ２３０Ｖがテレビジョンカメラに伝送される。
【００１８】
このようにＳＴＢＹ動作時に入力電源電圧を検出し、電源電圧に適したスイッチ位置に自動に設定を行う事で、電源トランスを備えたテレビジョンカメラ用の制御部（電源装置）として運用する事が可能となる。
また、１次入力電源電圧がＡＣ１００Ｖ/ＡＣ２３０Ｖ時でも、同様の動作を行う。
【００１９】
上説明したような本発明によれば、どの電源電圧が入力しても、電源トランスの１次側のタップ設定を自動で行うことで、タップ設定を間違える事が無く且つタップ設定変更を忘れる事が無いため、安全且つ故障の無い電源装置として運用する事ができる。
【符号の説明】
【００２０】
１，５：制御部、２，３：光ケーブルコネクタまたはトライアックスコネクタ、４：光ケーブルまたはトライアックスケーブル、
１０１，２０１：ＡＣインレッド、１０２：サーキットブレーカ、
１０３，２０３：電源スイッチ、１０４：入力電源圧基板、
１０５，１１２：ＳＴＢＹ/ＭＡＩＮ切換部、
１０６：自動スイッチ設定部、１０７：入力電源検出回路、
１０８，２０７：ＡＣ/ＤＣコンバータ、１０９，２０５：電源トランス、
１１０，２０６：電源基板、１１１：ＤＣ/ＤＣコンバータ、１１３：ＣＰＵ、
２０２：ヒューズ、２０４:電源トランス用タップ、
【図１】
2011101494.tif 000003
【図２】
2011101494.tif 000004
【図３】
2011101494.tif 000005